(57)【要約】【課題】移動端末からのエラー情報収集蓄積方法、移動端末及び局側のエラー情報収集蓄積装置に関し、移動端末からの発呼が接続不可又は通信切断となった場合、局側の装置でエラー情報を即時にかつ確実に収集し、通信障害箇所の特定と障害原因の解明を容易にかつ迅速に行うことができるようにする。【解決手段】移動端末１０からの移動通信ネットワーク２０を介する接続要求の発呼が正常に接続されなかった場合又は一旦接続した後に異常切断した場合、移動端末１０からこの時の障害の発生エリア、端末識別コード、サービスコード及びエラーコードを含むエラー情報を、通信方式の異なる複数の移動通信ネットワーク２１，２２の中の一つにより送信し、該エラー情報を局側のエラー情報蓄積装置３０で受信して蓄積し、項目毎に集計する。項目毎に集計した集計値が規定のしきい値を超えたときに、サービス監視装置３３に警報を送信する。【選択図】      図１
2006203792.tif 000002
【特許請求の範囲】
【請求項１】
移動端末からの移動通信ネットワークを介する接続要求の発呼が正常に接続されなかった場合又は一旦接続した後に異常切断した場合、移動端末からこの時の障害の発生エリア、端末識別コード、サービスコード及びエラーコードを含むエラー情報を、通信方式の異なる複数の移動通信ネットワークの中の一つにより送信するステップと、
通信方式の異なる複数の移動通信ネットワークの中の任意の一つの移動通信ネットワークを介して移動端末から送信された障害の発生エリア、端末識別コード、サービスコード及びエラーコードを含むエラー情報を局側のエラー情報蓄積装置で受信して蓄積するステップと、
前記局側のエラー情報蓄積装置に蓄積されたエラー情報を集計するステップと、
を含むことを特徴とする移動端末からのエラー情報収集蓄積方法。
【請求項２】
前記移動端末において、予め登録された複数の移動通信ネットワークの中から優先順序に従って一つの移動通信ネットワークを選択するステップを含むことを特徴とする請求１に記載の移動端末からのエラー情報収集蓄積方法。
【請求項３】
移動通信ネットワークを介する接続要求の発呼が正常に接続されなかった場合又は一旦接続した後に異常切断した場合、この時の障害の発生エリア、端末識別コード、サービスコード及びエラーコードを含むエラー情報を、移動端末に内臓又は接続された記憶装置に保存するエラー情報記憶手段と、
前記エラー情報記憶手段により保存されたエラー情報を、移動通信ネットワークを介して局側のエラー情報蓄積装置に送信するエラー情報送信手段と、
を備えたことを特徴とする移動端末。
【請求項４】
前記エラー情報送信手段は、前記発呼を行って正常に接続されなかった移動通信ネットワーク又は一旦接続した後に異常切断した移動通信ネットワークとは異なる通信方式の移動通信ネットワークを介して、前記エラー情報を送信することを特徴とする請求項３に記載の移動端末。
【請求項５】
通信方式の異なる複数の移動通信ネットワークの中の任意の一つの移動通信ネットワークを介して移動端末から送信された障害の発生エリア、端末識別コード、サービスコード及びエラーコードを含むエラー情報を受信して蓄積する記憶装置と、
前記記憶装置に蓄積されたエラー情報を集計する集計装置と、
を備えたことを特徴とする局側のエラー情報蓄積装置。
【発明の詳細な説明】
【技術分野】
【０００１】
本発明は、移動端末からのエラー情報収集蓄積方法、移動端末及び局側のエラー情報収集蓄積装置に関する。近年の携帯電話の普及に伴い、通信事業者にはサービス品質の向上が求められている。移動端末や通信方式に関する技術は年々向上しているが、それでもまれに通信事業者のネットワークに接続することができないことがある。
【０００２】
このような場合、通信事業者は提供しているサービスへの影響範囲を認識し、加入者に対する早急な障害発生アナウンスや、迅速な障害復旧等の対応により、サービス品質の低下を防ぐ必要がある。このためには、接続不可又は通信断の原因が移動端末の故障によるものなのか、局側の設備（基地局や交換機等）の故障によるものなのかを迅速に切り分けなければならない。本発明は、接続不可時又は通信断時に移動端末からエラー情報を確実に収集蓄積する技術に係る。
【背景技術】
【０００３】
通信事業者は、移動端末の接続不可又は通信断時の原因を調べる方法として、障害発生時の状況を加入者から詳しく聴き取るヒアリングや、移動端末をその製造元に送付して調査するなどの方法が一般的である。移動端末を製造元に送付して調査すると、多くの時間と作業手数が掛かるため、サービスセンタに持ち込まれた移動端末に残されているエラー情報を、通信事業者のオペレータがエラー情報収集装置に入力し、該エラー情報収集装置に蓄積された情報を分析して障害原因を推定するなどの方法も採られている。
【０００４】
通信事業者側（局側）の設備の不具合に起因する接続不可又は通信断の障害については、交換機で接続要求呼数や接続完了呼数等をカウントし、トラヒック情報を監視することによって、障害の傾向を或る程度把握し、それを基に障害原因を推定することが可能であるが、直接の原因を特定することはできない。
【０００５】
本発明に関連する先行技術文献として、移動通信における無線回線の異常切断原因の迅速かつ正確な究明を行うために、携帯移動機と基地局間の無線回線が異常切断されたときに、移動通信交換機から保守情報管理装置を介して異常切断呼調査装置に異常切断呼情報を送信し、異常切断呼調査装置が異常切断呼情報に含まれる切断理由によりアンケート調査の要否を判断し、アンケート調査が必要な切断理由であった場合にアンケート調査依頼メールを携帯移動機に送信し、携帯移動機がアンケート調査依頼メールに記載されたアクセス先である異常切断呼調査装置にアクセスしてアンケート帳票画面情報を受信し、携帯移動機の画面上でアンケート回答内容を入力して送信し、異常切断呼調査装置が受信したアンケート回答内容に基づいて異常切断の発生場所の特定と原因の解析とを行う「移動通信における異常切断原因解析システム，方法，異常切断呼調査装置及びプログラム」が下記の特許文献１に記載されている。
【０００６】
また、他の先行技術文献として、ＰＤＣ方式による通信を処理するＰＤＣ通信処理部と、Ｗ−ＣＤＭＡ方式による通信を処理するＷ−ＣＤＭＡ通信処理部とを備えた所謂デュアル端末であって、消費電力の削減のために、初期段階において、ＰＤＣ通信処理部は起動状態とし、Ｗ−ＣＤＭＡ通信処理部は停止状態とし、ＰＤＣ通信処理部はＰＤＣ基地局から送信された起動要求を受信し、この起動要求に応じてＷ−ＣＤＭＡ通信処理部に対して起動要求を通知し、Ｗ−ＣＤＭＡ通信処理部はこの起動要求に応じて起動する「移動体通信端末、移動体通信システム及び通信方法」が下記の特許文献２に記載されている。
【特許文献１】特開２００４−２４２２５９号公報
【特許文献２】特開２００３−１６９３７９号公報
【発明の開示】
【発明が解決しようとする課題】
【０００７】
接続不可又は通信断時の原因を調査する従来の方法では、通信事業者は、加入者からの申告がない限り、移動端末の障害状況を把握することができない。また、加入者から申告があったとしても、障害発生からサービスセンタを通して通信事業者の関連する装置にエラー情報が入力されるまでには、多くの時間と作業手数を必要とする。
【０００８】
また、交換機のトラヒック情報から、特定時刻、特定エリアにおける通信障害発生の傾向を知ることはできるが、特定の移動端末固有の障害に対しては、トラヒック情報によってはこれを認知することができない。また、前述の特許文献１に記載の携帯移動機の画面上でアンケート回答内容を入力して送信し、該送信内容を基に異常切断の発生場所の特定及び原因の解析を行う方法では、障害の発生したエリア情報等を移動端末のユーザが入力しなければならず、ユーザに余分な面倒を掛けるものであった。
【０００９】
本発明は、移動端末からの接続が不可だった場合又は接続中に意図せずに通信が切断となった場合、移動端末のユーザによる障害発生エリア情報等の入力操作を強いることなく、局側の装置でエラー情報を即時にかつ確実に収集し、そのエラー情報を基に通信事業者が通信障害箇所の特定と障害原因の解明を容易にかつ迅速に行うことができるようにし、障害復旧時間の短縮及び接続品質の改善に役立てることを目的とする。
【課題を解決するための手段】
【００１０】
本発明の移動端末からのエラー情報収集蓄積方法は、（１）移動端末からの移動通信ネットワークを介する接続要求の発呼が正常に接続されなかった場合又は一旦接続した後に異常切断した場合、移動端末からこの時の障害の発生エリア、端末識別コード、サービスコード及びエラーコードを含むエラー情報を、通信方式の異なる複数の移動通信ネットワークの中の一つにより送信するステップと、通信方式の異なる複数の移動通信ネットワークの中の任意の一つの移動通信ネットワークを介して移動端末から送信された障害の発生エリア、端末識別コード、サービスコード及びエラーコードを含むエラー情報を局側のエラー情報蓄積装置で受信して蓄積するステップと、前記局側のエラー情報蓄積装置に蓄積されたエラー情報を集計するステップと、を含むことを特徴とする。
【００１１】
また、（２）前記移動端末において、予め登録された複数の移動通信ネットワークの中から優先順序に従って一つの移動通信ネットワークを選択するステップを含むことを特徴とする。
【００１２】
また、本発明の移動端末は、（３）移動通信ネットワークを介する接続要求の発呼が正常に接続されなかった場合又は一旦接続した後に異常切断した場合、この時の障害の発生エリア、端末識別コード、サービスコード及びエラーコードを含むエラー情報を、移動端末に内臓又は接続された記憶装置に保存するエラー情報記憶手段と、前記エラー情報記憶手段により保存されたエラー情報を、移動通信ネットワークを介して局側のエラー情報蓄積装置に送信するエラー情報送信手段と、を備えたことを特徴とする。
【００１３】
また、（４）前記エラー情報送信手段は、前記発呼を行って正常に接続されなかった移動通信ネットワーク又は一旦接続した後に異常切断した移動通信ネットワークとは異なる通信方式の移動通信ネットワークを介して、前記エラー情報を送信することを特徴とする。
【００１４】
また、局側のエラー情報蓄積装置は、（５）通信方式の異なる複数の移動通信ネットワークの中の任意の一つの移動通信ネットワークを介して移動端末から送信された障害の発生エリア、端末識別コード、サービスコード及びエラーコードを含むエラー情報を受信して蓄積する記憶装置と、前記記憶装置に蓄積されたエラー情報を集計する集計装置と、を備えたことを特徴とする。
【発明の効果】
【００１５】
本発明によれば、移動端末からの発呼の接続不可時又は接続断時のエラー情報を、接続しようとした通信方式とは別の通信方式の移動通信ネットワークで送信することによって、通信事業者（局側）はそのとき発生しているエラー情報を即座に収集蓄積することができる。通信事業者（局側）は、この収集されたエラー情報を分析することにより、障害発生の傾向を掴み、障害復旧までの時間を大幅に短縮することができる。
【００１６】
また、蓄積されたエラー情報を項目毎に集計することにより、通信事業者は通信障害箇所の特定と障害原因の解明を容易にかつ迅速に行うことができ、障害復旧時間を短縮することができる。また、一旦蓄積されたエラー情報のうち、所定の条件を満たすエラー情報を削除することにより、既に復旧した障害のエラー情報などを削除し、エラー情報を蓄積する記憶装置の容量不足によるオーバーフローを防ぐことができる。
【００１７】
従って、これまでのように、通信障害があった場合、加入者からの申告を待つ必要が無く、短期間でサービスを再開することができ、サービス品質を向上させることができる。また、障害発生中は加入者のサービス利用に影響が出ていることになるが、この期間におけるサービス利用料の減収、減益を最小限に抑えることができることとなる。
【発明を実施するための最良の形態】
【００１８】
図１は本発明による移動端末からのエラー情報収集蓄積の動作説明図である。同図において、１０は移動端末、１１は移動端末１０に内臓又は接続された記憶装置、２０は通信方式Ａによる通信事業者ネットワーク、２１は通信方式Ｂによる通信事業者ネットワーク、２２は通信方式Ｃによる通信事業者ネットワーク、３０はエラー情報蓄積装置、３１はエラー情報蓄積装置３０に内臓又は接続された記憶装置、３２はエラー情報蓄積装置３０に内臓又は接続された集計装置、３３は通信事業者のサービス監視装置である。
【００１９】
ここで、上記の通信方式Ａ、通信方式Ｂ、通信方式Ｃは、例えば、ＰＤＣ（Personal Digital Cellular）方式、ＣＤＭＡ（Code Division Multiple Access）方式、ＰＨＳ（Personal Handy phone System）方式など、方式の異なる移動無線通信方式を指している。
【００２０】
移動端末１０は、接続不可時又は通信断時のエラー情報を、移動端末１０に内臓又は接続された記憶装置１１に保存する機能と、保存したエラー情報をエラー情報蓄積装置３０に送信する機能と、エラー情報を複数の移動無線通信方式の中から選択した通信方式で送信する機能と、該通信方式を選択する際に複数の通信方式の中から優先順位に従って順次選択する機能と、エラー情報の送信に失敗した回数をカウントする機能と、該エラー情報の送信の失敗回数が規定回数に達した場合にエラー情報の送信を停止する機能とを備える。
【００２１】
前述のエラー情報は、発生時刻（エラーが発生した時刻）、発生エリア（エラーが発生した無線エリア）、端末識別コード（エラーが発生した移動端末のメーカ名、モデル名、製造時期等を識別するためのコード）、サービスコード（エラーが発生した時に利用しようとしていた又は利用していた通信方式や通信サービスを特定するためのコード）、及びエラーコード（エラーとなった原因を特定するためのコード）を含むものとする。
【００２２】
移動端末１０に内臓又は接続された記憶装置１１は、接続不可時又は通信断時のエラー情報を一定の記憶容量分保存する機能を有し、通信方式Ａによる通信事業者ネットワーク２０は、移動端末１０から送信されたエラー情報を通信方式Ａにより受け付け、エラー情報蓄積装置３０までの経路を確保する機能を有し、通信方式Ｂによる通信事業者ネットワーク２１は、移動端末１０から送信されたエラー情報を通信方式Ｂにより受け付け、エラー情報蓄積装置３０までの経路を確保する機能を有し、通信方式Ｃによる通信事業者ネットワーク２２は、移動端末１０から送信されたエラー情報を通信方式Ｃにより受け付け、エラー情報蓄積装置３０までの経路を確保する機能を有する。
【００２３】
エラー情報蓄積装置３０は、移動端末１０から送信されたエラー情報を、通信方式Ａ、Ｂ又はＣによる通信事業者ネットワーク２０、２１又は２２を介して受信する機能と、記憶装置３１に蓄積されているエラー情報の各項目の値について、予め規定された条件を満たすか否かを判定し、該条件を満たす場合に、該当エラー情報を自動的に削除する機能と、集計装置３２で集計したエラー情報の特定の項目の受信回数が規定しきい値に達したと判定した場合に、その項目を警報情報としてサービス監視装置３３に送信する機能とを備える。
【００２４】
上記警報情報は、発生時刻（しきい値に達した時刻）、項目名（しきい値に達したエラー情報項目の要素）、項目値（しきい値に達したエラー情報項目の値）、件数（エラー情報項目の受信回数）から成る。
【００２５】
記憶装置３１は、エラー情報蓄積装置３０が受信したエラー情報を一定の記憶容量分蓄積する機能を有し、集計装置３２は、記憶装置３１が保存したエラー情報を各項目毎に集計し、集計したエラー情報の各項目について、何れかの項目が規定のしきい値に達しているか否かを判定する機能を有し、サービス監視装置３３はエラー情報蓄積装置３０から送信された警報情報を受信し、事業者オペレータ向けの監視画面に警報情報を表示する機能を有する。
【００２６】
本発明のエラー情報収集において、移動端末１０は、通常の通話や通信に使用している通信方式（例えば通信方式Ａ）で通信事業者ネットワークに接続要求したが接続に失敗し、又は通話中に接続が切断された場合、このときのエラー情報を移動端末１０に内臓又は接続された記憶装置１１に保存する。
【００２７】
移動端末１０は、記憶装置１１に保存したエラー情報を、複数の通信方式の中の任意の通信方式により送信することができ、使用する通信方式を優先順位に従って選択する。このとき、接続に失敗した通信方式（例えば通信方式Ａ）は利用できない可能性が高いので、エラー情報は他の通信方式（例えば通信方式Ｂ）によるネットワークを利用して送信する。
【００２８】
エラー情報蓄積装置３０は、移動端末１０からエラー情報を受け付けた後、記憶装置３１にこれを蓄積する。集計装置３２は、記憶装置３１に蓄積されたエラー情報を項目毎に集計し、各項目について予め設定した一定のしきい値に達した項目を検出した場合に、サービス監視装置３３に警報情報を送信する。通信事業者はサービスを監視している時点での障害発生状況の傾向を知ることができる。
【００２９】
次に、本発明のエラー情報収集の動作について順を追って説明する。以下の括弧内の符号を付した動作は、図１の同一の符合を付した動作位置に対応している。まず、加入者が移動端末１０を使用して通信方式Ａによる通信事業者ネットワーク２０での接続に失敗又は接続中に切断されたなどの通信障害が発生した場合（１）、移動端末１０は記憶装置１１にこのときのエラー情報を保存する（２）。
【００３０】
移動端末１０は通信方式Ａによるネットワーク２０での接続は不可能と判断して、通信方式Ｂによるネットワーク２１を選択して接続する（３）。このとき、通信方式Ｂによるネットワーク２１での接続も不可能であった場合には、通信方式Ｃによるネットワーク２２で接続する。
【００３１】
このようにして、移動端末１０に登録されている複数の通信方式の何れかでエラー情報が送信されるまで接続を試みる。エラー情報を送信するための接続の失敗回数が規定回数に達した場合には、エラー情報の送信を停止し、その旨のガイダンスを移動端末１０の表示部に表示する。
【００３２】
移動端末１０は、或る通信方式の通信事業者ネットワーク（図１では通信方式Ｂによるネットワーク２１）で接続することができた場合、このネットワークを介し、エラー情報蓄積装置３０にエラー情報を送信する（４）。エラー情報蓄積装置３０は、移動端末１０からのエラー情報を受信し（５）、記憶装置３１にこのエラー情報を蓄積する（６）。
【００３３】
このとき、エラー情報蓄積装置３０は、記憶装置３１にすでに蓄積されているエラー情報を探索し、予め設定された特定の条件を満たしたエラー情報であることを認識した場合には、記憶装置３１の容量不足によるオーバーフローを防止するために、記憶装置３１から該当するエラー情報を削除する。
【００３４】
集計装置３２は、記憶装置３１に蓄積されたエラー情報を集計し（７）、一定期間において規定しきい値に達している項目を検出すると、エラー情報蓄積装置３０は、サービス監視装置３３に対して警報情報を送信する（８）。サービス監視装置３３は、エラー情報蓄積装置３０から受信した警報情報を、オペレータが監視業務を行っている情報端末に表示する（９）。以上の動作より、通信事業者は、通信障害発生の状況をリアルタイムで把握することができる。
【実施例】
【００３５】
本発明のエラー情報収集蓄積の具体的な動作例を以下に説明する。図２は本発明の一つの動作例を示している。この動作例は以下のような条件で動作しているものとする。
（条件１）：通信事業者は、ＰＤＣ方式、ＣＤＭＡ方式及びＰＨＳ方式の通信方式のネットワークを管理する。
（条件２）：移動端末は、通常ＰＤＣ方式の通信方式を利用して通話又は通信を行う。
（条件３）：移動端末は、ＰＤＣ方式、ＣＤＭＡ方式及びＰＨＳ方式の中から何れかの通信方式を選択してエラー情報を送信することが可能である。
（条件４）：エラー情報蓄積装置は、ＰＤＣ方式、ＣＤＭＡ方式及びＰＨＳ方式の何れの通信方式でも移動端末１０からのエラー情報を受信することが可能である。
（条件５）：ＰＤＣ方式のネットワークにおいて、横浜Ｂに設置された基地局で設備障害が発生している。
（条件６）：ＣＤＭＡ方式及びＰＨＳ方式の通信方式のネットワークは正常状態である。
（条件７）：加入者は、移動端末を使用して、横浜Ｂに設置された基地局がカバーする無線エリア内からＰＤＣ方式のネットワークで接続しようとしている。
【００３６】
以下の動作説明において、括弧内の符号を付した動作は図２の同一の符合を付した動作箇所に対応している。加入者は、移動端末を用いてＰＤＣ方式のネットワークへの接続を試みるが、横浜Ｂの基地局で障害が発生しているために接続することができない（１）。移動端末はこのときのエラー情報を端末内の記憶装置に保存する（２）。
【００３７】
ＰＤＣ方式によるネットワークでの接続は失敗しているため、移動端末は通信方式テーブル２−１を参照し、優先順位がＰＤＣ方式の次のＣＤＭＡ方式によるネットワークで接続する（３）。ＣＤＭＡ方式によるネットワークでは正常に接続し、このネットワークを介してエラー情報をエラー情報蓄積装置に送信する（４）。
【００３８】
エラー情報蓄積装置はエラー情報を受信し、自装置内の記憶装置にこのエラー情報を蓄積する（５）。エラー情報蓄積装置は、エラー情報を項目毎に集計し、その集計の結果、横浜Ｂで発生した件数が５０件になった（６）。
【００３９】
エラー情報蓄積装置は、しきい値テーブル２−２を参照し、横浜Ｂで発生したエラーがしきい値５０に達したと判定する（７）。エラー情報蓄積装置は、横浜Ｂで発生したエラーについて、集計した発生件数である５０件という情報を合わせて警報情報としてサービス監視装置に通知する（８）。サービス監視装置はそれらの警報情報を受信し、サービスを監視している時点で横浜Ｂにおいて通信障害が５０件発生していることを表示する（９）。
【００４０】
図３は図２に示した動作例のシーケンスチャートを示している。同図に示すように、移動端末１０が通信方式Ａの通信事業者ネットワーク２０で行った接続に障害が発生すると（３−１）、そのエラー情報を記憶装置１１に収集蓄積し（３−２）、通信方式Ｂの通信事業者ネットワーク２１を選択してエラー情報蓄積装置３０へのエラー情報送信要求を行う（３−３）。
【００４１】
エラー情報蓄積装置３０は該エラー情報送信要求に対してエラー情報送信応答を移動端末１０に返す（３−４）。移動端末１０は該エラー情報送信応答を受けてエラー情報を通信方式Ｂの通信事業者ネットワーク２１でエラー情報蓄積装置３０へエラー情報を送信する（３−５）。エラー情報蓄積装置３０はエラー情報を受信するとエラー情報受信応答を移動端末１０に返す（３−６）。
【００４２】
エラー情報蓄積装置３０は受信したエラー情報を記憶装置３１に蓄積し、エラー情報の項目毎の集計値がしきい値を超えているか判定し（３−７）、集計値がしきい値を超えている場合（３−８）、サービス監視装置３３に警報情報を送信する（３−９）。
【００４３】
図４は本発明のエラー情報収集蓄積における移動端末の動作フローを示す。同図に示すように、通信方式Ａで通信障害が発生すると、そのエラー情報を保存し（４−１）、エラー情報送信設定が手動か自動かを判定し（４−２）、設定が手動の場合、エラー情報を送信する操作が加入者によって為されたかを判定し（４−３）、エラー情報を送信する操作が為されなかった場合には何も送信することなく終了する。
【００４４】
上記設定が自動の場合又はエラー情報を送信する操作が為された場合、エラー情報を送信する通信方式を優先順位に従って順次選択する（４−４）。選択した通信方式は、障害が発生した通信方式であるかどうかを判定し（４−５）、障害が発生した通信方式である場合には上記のステップ（４−４）に戻って次の優先順位の通信方式を選択する。
【００４５】
選択した通信方式が障害発生の通信方式でない場合、エラー情報の送信回数が規定回数に達しているか否かを判定し（４−６）、該送信回数が規定回数に達しているときは、前述のステップ（４−４）に戻って次の優先順位の通信方式を選択する。該送信回数が規定回数に達していなければ、エラー情報を送信する（４−７）。
【００４６】
エラー情報の送信結果を判定し（４−８）、該送信が失敗であった場合は、エラー情報送信失敗回数をカウントアップし（４−９）、前述のステップ（４−６）に戻って同様の処理を繰り返す。エラー情報の送信が成功であった場合は、処理を終了する。
【００４７】
図５は本発明のエラー情報蓄積装置における警報情報送信動作のフローを示す。エラー情報蓄積装置３０は、移動端末からエラー情報を受信すると、エラー情報を記憶装置３１に蓄積する（５−１）。蓄積したエラー情報を集計装置３２で項目毎に集計し（５−２）、エラー情報の各項目を順次選択し（５−３）、しきい値に達している項目が存在するか否かを判定する（５−４）。
【００４８】
しきい値に達している項目が存在する場合には、警報情報を送信し（５−５）、全項目についてしきい値との比較判定チェックを行ったかを調べ（５−６）、全項目についてチェックを終えていない場合には、前述のステップ（５−３）に戻って同様の処理を繰り返す。全項目についてチェックを終えれば、処理を終了する。
【００４９】
図６は本発明のエラー情報蓄積装置におけるエラー情報削除動作のフローを示す。エラー情報蓄積装置３０は、一定の周期Ｔの定期動作として、蓄積エラー情報を順次選択し（６−１）、該選択したエラー情報が、既に復旧した障害のエラー情報などのように削除すべき情報として外部から設定された削除条件を満たすか否かを判定し（６−２）、該削除条件を満たす場合には該エラー情報を削除する（６−３）。
【００５０】
全エラー情報について削除条件との照合判定チェックを行ったかを調べ（６−４）、全エラー情報について該チェックを終えていない場合には、前述のステップ（６−１）に戻って同様の処理を繰り返す。全エラー情報について該チェックを終えれば、処理を終了する。
【００５１】
（付記１）  移動端末からの移動通信ネットワークを介する接続要求の発呼が正常に接続されなかった場合又は一旦接続した後に異常切断した場合、移動端末からこの時の障害の発生エリア、端末識別コード、サービスコード及びエラーコードを含むエラー情報を、通信方式の異なる複数の移動通信ネットワークの中の一つにより送信するステップと、
通信方式の異なる複数の移動通信ネットワークの中の任意の一つの移動通信ネットワークを介して移動端末から送信された障害の発生エリア、端末識別コード、サービスコード及びエラーコードを含むエラー情報を局側のエラー情報蓄積装置で受信して蓄積するステップと、
前記局側のエラー情報蓄積装置に蓄積されたエラー情報を集計するステップと、
を含むことを特徴とする移動端末からのエラー情報収集蓄積方法。
（付記２）  前記移動端末において、予め登録された複数の移動通信ネットワークの中から優先順序に従って一つの移動通信ネットワークを選択するステップを含むことを特徴とする請求１に記載の移動端末からのエラー情報収集蓄積方法。
（付記３）  前記局側のエラー情報蓄積装置において、蓄積されたエラー情報を項目毎に集計するステップと、該項目毎に集計した集計値が規定のしきい値を超えたときに、サービス監視装置に警報を送信するステップとを、
含むことを特徴とする付記１に記載の移動端末からのエラー情報収集蓄積方法。
（付記４）  移動通信ネットワークを介する接続要求の発呼が正常に接続されなかった場合又は一旦接続した後に異常切断した場合、この時の障害の発生エリア、端末識別コード、サービスコード及びエラーコードを含むエラー情報を、移動端末に内臓又は接続された記憶装置に保存するエラー情報記憶手段と、
前記エラー情報記憶手段により保存されたエラー情報を、移動通信ネットワークを介して局側のエラー情報蓄積装置に送信するエラー情報送信手段と、
を備えたことを特徴とする移動端末。
（付記５）  前記エラー情報送信手段は、前記発呼を行って正常に接続されなかった移動通信ネットワーク又は一旦接続した後に異常切断した移動通信ネットワークとは異なる通信方式の移動通信ネットワークを介して、前記エラー情報を送信することを特徴とする付記４に記載の移動端末。
（付記６）  前記エラー情報送信手段は、通信方式の異なる複数の移動通信ネットワークの中から、予め登録された優先順位に従って、前記エラー情報を送信する移動通信ネットワークを選択することを特徴とする付記５に記載の移動端末。
（付記７）  前記エラー情報送信手段は、前記エラー情報送信の失敗回数が規定回数に達するまで、一つの移動通信ネットワークに対して該エラー情報の送信を試み、該エラー情報送信の失敗回数が規定回数に達したときに、他の移動通信ネットワークを選択して該エラー情報を送信することを特徴とする付記６に記載の移動端末。
（付記８）  通信方式の異なる複数の移動通信ネットワークの中の任意の一つの移動通信ネットワークを介して移動端末から送信された障害の発生エリア、端末識別コード、サービスコード及びエラーコードを含むエラー情報を受信して蓄積する記憶装置と、
前記記憶装置に蓄積されたエラー情報を集計する集計装置と、
を備えたことを特徴とする局側のエラー情報蓄積装置。
（付記９）  前記集計装置は、前記記憶装置に蓄積されたエラー情報を、発生時刻、発生エリア、端末識別コード、サービスコード及びエラーコードを含む項目毎に集計し、何れかの項目が規定のしきい値に達した場合に、サービス監視装置に対して警報情報を送信することを特徴とする付記８に記載の局側のエラー情報収集蓄積装置。
（付記１０）  前記記憶装置に蓄積されたエラー情報の各項目の値が、予め設定された特定の条件を満たすか否かを判定する手段と、該特定の条件を満たすエラー情報を該記憶装置から削除する手段を備えたことを特徴とする付記８に記載の局側のエラー情報収集蓄積装置。
【図面の簡単な説明】
【００５２】
【図１】本発明による移動端末からのエラー情報収集蓄積の動作説明図である。
【図２】本発明のエラー情報収集蓄積の具体的な動作例を示す図である。
【図３】本発明のエラー情報収集蓄積の動作例のシーケンスチャートである。
【図４】本発明の移動端末の動作フローを示す図である。
【図５】本発明のエラー情報蓄積装置における警報情報送信動作のフロー図である。
【図６】本発明のエラー情報蓄積装置におけるエラー情報削除動作のフロー図である。
【符号の説明】
【００５３】
１０  移動端末
１１  移動端末１０に内臓又は接続された記憶装置
２０  通信方式Ａによる通信事業者ネットワーク
２１  通信方式Ｂによる通信事業者ネットワーク
２２  通信方式Ｃによる通信事業者ネットワーク
３０  エラー情報蓄積装置
３１  エラー情報蓄積装置３０に内臓又は接続された記憶装置
３２  エラー情報蓄積装置３０に内臓又は接続された集計装置
３３  通信事業者のサービス監視装置
【図１】
2006203792.tif 000003
【図２】
2006203792.tif 000004
【図３】
2006203792.tif 000005
【図４】
2006203792.tif 000006
【図５】
2006203792.tif 000007
【図６】
2006203792.tif 000008